(57)【要約】【課題】電動排水トラップを備えたタンクレス便器装置において、停電時でも電源電池によって電気式給水弁を作動させて給水できるようにする。【解決手段】便器装置１は停電時用の電源電池５を収容する電池収容部２２を備え、電気式給水弁１３は外部電源によって作動する主給水弁１３Ａと、電源電池によって作動する電池駆動給水弁１３Ｂとで構成する。【選択図】図１
2016118020.tif 000002
【特許請求の範囲】
【請求項１】
電気式給水弁を介して水道から直接給水するタンクレス便器装置において、
停電時用の電源電池を収容する電池収容部を備えており、
前記電気式給水弁は、外部電源によって作動する主給水弁と、電源電池によって作動する電池駆動給水弁とで構成されていることを特徴とするタンクレス便器装置。
【請求項２】
請求項１に記載のタンクレス便器装置において、
前記電池駆動給水弁は前記主給水弁に併設されていることを特徴とするタンクレス便器装置。
【請求項３】
請求項１又は２に記載のタンクレス便器装置において、
前記電池駆動給水弁を作動させる操作スイッチが操作されたときに前記電源電池を通電開始させることを特徴とするタンクレス便器装置。
【請求項４】
請求項３に記載のタンクレス便器装置において、
電動によって排水を制御する電動排水トラップを更に備え、
前記操作スイッチが操作されたときに前記電源電池によって前記電動排水トラップを作動させることを特徴とするタンクレス便器装置。
【請求項５】
請求項１乃至３のいずれか一項に記載のタンクレス便器装置において、
前記電池駆動給水弁の駆動回路は前記主給水弁の駆動回路を含めた主回路から独立して設けられていることを特徴とするタンクレス便器装置。
【請求項６】
請求項１乃至５のいずれか一項に記載のタンクレス便器装置において、
前記操作スイッチは前記電池収容部に隣接して設けられていることを特徴とするタンクレス便器装置。
【発明の詳細な説明】
【技術分野】
【０００１】
本発明は電気式給水弁を介して水道から直接給水するタンクレス便器装置の改良に関する。
【背景技術】
【０００２】
近時、前記のようなタンクレス便器装置が普及しつつある。しかしながら停電時には電気式給水弁が作動できないため便器の使用後にバケツ等を用いた手作業で給水して汚水を流す必要があった。特に固定式トラップ管を用いた便器装置の場合はサイホン効果のためにボウル部に溜め水が溜まり難いという事情があり、給水作業にコツが必要であった。
【０００３】
タンクレス便器装置には開放端を有する柔軟なトラップ管を電動で上下に首振りさせることで排水制御するものもある。次の特許文献１にはそのような便器装置において停電時には予備電池によってトラップ管を駆動すること、及び手動で開閉弁させるバイパス給水弁を設けることが記載されている。この場合は固定式トラップ管のようなサイホン効果は生じないから、停電時には予備電池によってトラップ管を作動させてトラップ管が元に戻った後バイパス給水弁から十分な量を給水すればボウル部に溜め水を溜めることができる。
【先行技術文献】
【特許文献】
【０００４】
【特許文献１】特開平１１−２１００５２号公報
【発明の概要】
【発明が解決しようとする課題】
【０００５】
しかしながら特許文献１はバイパス給水弁の構成やこの弁を操作する操作部について詳細に記載されていない。仮にレバーやダイヤルが付加された手動式弁を便器装置の給水路に介装したとすると、そのレバーあるいはダイヤルを操作するために便器装置の筐体の一部等を外す必要がある等の問題が生じることが考えられる。本発明はこのような考察の下になされたもので、停電時でも電気式給水弁を作動させて給水できるタンクレス便器装置を提供することを目的としている。
【課題を解決するための手段】
【０００６】
本発明は、電気式給水弁を介して水道から直接給水するタンクレス便器装置において、停電時用の電源電池を収容する電池収容部を備えており、前記電気式給水弁は、外部電源によって作動する主給水弁と、電源電池によって作動する電池駆動給水弁とで構成されていることを特徴とする。
【発明の効果】
【０００７】
本発明では、停電時であっても電源電池によって電池駆動給水弁を作動させて給水できる。
【図面の簡単な説明】
【０００８】
【図１】本発明の実施形態の一例とされるタンクレス便器装置の基本構成を示すブロック図である。
【図２】（ａ）、（ｂ）は本実施形態の具体的な構成を説明する平面図及び縦断面図である。
【図３】（ａ）、（ｂ）は本実施形態に設けられる電池駆動給水弁の一例の閉弁状態、開弁状態を示す流路に沿った断面図である。
【図４】（ａ）、（ｂ）は本実施形態に設けられる電池駆動給水弁の変形例の閉弁状態、開弁状態を示す断面図である。
【図５】（ａ）、（ｂ）は本実施形態に設けられる電池駆動給水弁の他の変形例の閉弁状態、開弁状態を示す断面図である。
【図６】本実施形態の通常時（非停電時）における基本動作の一例を示すタイムチャートである。
【図７】本実施形態の停電時における基本動作の一例を示すタイムチャートである。
【発明を実施するための形態】
【０００９】
図１は本発明の実施形態の一例とされるタンクレス便器装置の基本構成を示すブロック図である。便器装置は外部電源によって作動し電気式給水弁を介して水道から直接給水する洋式タンクレスのものである。ここに外部電源は商用電源、商用電源を整流した電源又は自家発電装置で発電した電源等の総称である。便器装置は電動によって排水制御する電動排水トラップを備えているが、本発明は固定式トラップ管を備えた便器装置にも同様に適用できる。また便器装置はブロック図以外の要素として例えば局部洗浄機構、便座保温機構等も備えてよいが、本発明には特に関連しないのでそれらについての説明は省略する。
【００１０】
便器装置１は大小便を受けるボウル部１０の上流側、下流側にはそれぞれ給水路１１と排水路１２とが形成されている。給水路１１は止水栓２とボウル部１０とを繋ぐ管路であって金属パイプや樹脂パイプからなり、その経路中に電気式給水弁１３等が設けられている。排水路１２はボウル部１０と下水管４とを繋ぐ管路であって樹脂パイプ等からなり、その経路中に電動排水トラップ１４が設けられている。
【００１１】
整流回路１５は例えばダイオードブリッジ等で構成され商用電源等を整流して便器装置１の各部に作動電源を供給する。整流回路１５の出力はダイオードＤ１を介して給電路１６に接続されている。給電路１６には平滑用コンデンサーＣや降圧回路１７が接続されている。降圧回路１７はＤＣ／ＤＣコンバータ―等からなり制御部１８等に作動電源よりも低い電圧レベルの電源を供給する。
【００１２】
制御部１８はマイコン等からなり、降圧回路１７で降圧された電源によって動作し、予め用意された制御プログラムに従って電気式給水弁１３や電動排水トラップ１４を制御する。電圧センサ１９は整流回路１５の出力電圧を監視するセンサである。
【００１３】
正逆駆動回路２０はトラップモーターＭに駆動電流を通じさせる回路ブロックであってアンプ回路等からなり、給電路１６から供給された電源によってトラップモーターＭを正逆自在に回動させる。
【００１４】
電気式給水弁１３は、外部電源によって作動する主給水弁１３Ａに、電源電池５によって作動する電池駆動給水弁１３Ｂを併設させた構成になっている。
【００１５】
主給水弁１３Ａはソレノイドによって弁体を駆動する電磁式のものでも、モーターによって弁体を駆動する電気式のものでもよいが、ここでは一例として電磁式のものを採用している。電磁弁には常時閉タイプと常時開タイプとがあるが、便器装置１は待機中に給水することはないので主給水弁１３Ａには常時閉タイプのものを用いる。トランジスタ素子Ｑ１は主給水弁１３Ａの制御用素子を概念的に示している。
【００１６】
一方電池駆動給水弁１３Ｂは電源電池５の供給する低電圧電源で駆動可能な電磁式のものを想定している。電池駆動給水弁１３Ｂの詳細は後述する。
【００１７】
電動排水トラップ１４は開放端を有する柔軟なトラップ管をトラップモーターＭで上下に首振りさせる仕組みのものである。トラップモーターＭは一般的なブラシモーター、ブラシレスモーター、ステッピングモーター等で構成される。
【００１８】
電池駆動給水弁１３Ｂの駆動回路２１は、停電時用の電源電池５を収容する電池収容部２２と、電池駆動給水弁１３Ｂを作動させる操作スイッチＳＷと、電池駆動給水弁１３ＢのソレノイドＳ２に作動電流を通じさせるトランジスタ素子Ｑ２とで構成されている。操作スイッチＳＷが操作されるとトランジスタＱ２がオンしてソレノイドＳ２に作動電流が供給されて電池駆動給水弁１３Ｂが開弁する。すなわち停電時であっても電源電池５によって電池駆動給水弁１３Ｂを作動させて給水できる。また操作スイッチＳＷが解除されるとトランジスタ素子Ｑ２がオフになり電源電池５を遮断するので電源電池５の消耗が抑えられる。またこのように回路構成すれば操作スイッチＳＷはトランジスタ素子Ｑ２をオンオフ制御するだけであり大電流が通じることはないので小容量スイッチを用いることができる。
【００１９】
駆動回路２１は図中点線で示すダイオードＤ２の経路によって給電路１６に接続される。そうした場合操作スイッチＳＷが操作されている間つまり電池駆動給水弁１３Ｂが作動している間は電源電池５から給電路１６を介して制御部１８、電動排水トラップ１４に電源が供給される。これに対し制御部１８はパワーオンリセット解除後の起動時に電圧センサ１９の検知信号によって通常時（非停電時）か停電時かを判断し、その判断結果に基づいて通常時用の制御プログラム、停電時用の制御プログラムのいずれか一方を実行するとよい。すなわち通常時用の制御プログラムでは便器装置１の主操作部（図示なし）からの指令信号に基づいて便座保温、局部洗浄、排水等の通常処理を実行すればよい。一方停電時用の制御プログラムでは自動的に排水処理を実行すればよい。このようにすれば電池駆動給水弁１３Ｂの開弁に連動して電動排水トラップ１４が作動するので使い勝手が改善される。
【００２０】
変形例として前記点線で示すダイオードＤ２の経路をなくし、駆動回路２１は制御部１８や主給水弁１３Ａの駆動回路を含めた主回路から独立させて設けてもよい。そうすれば全体の回路構成や制御部１８の制御プログラムが簡単になる。
【００２１】
電源電池５は専用品としてもよいが、市販の乾電池（９Ｖ品、１．５Ｖ品等）を用いてもよい。電源電池５の供給電圧は９〜１２Ｖ程度にするとよい。電池収容部２２はその配置や構成に特段の制限はないが、水濡れし難い位置に電池収容部２２を配することが望ましい。
【００２２】
このように本実施形態では便器装置１は停電時用の電源電池５を収容する電池収容部２２を備え、電気式給水弁１３は外部電源によって作動する主給水弁１３Ａと、電源電池４によって作動する電池駆動給水弁１３Ｂとで構成されている。したがって停電時であっても電源電池５によって電池駆動給水弁１３Ｂを作動させて給水できる。
【００２３】
図２（ａ）、（ｂ）は本実施形態の具体的な構成を説明する平面図及び縦断面図である。図１に共通する要素には同一の参照符号を付けて説明を省略する。なお平面図では電気式給水弁１３を想像線（点線）で記載している。
【００２４】
便器装置１はボウル部１０を収容する本体外殻部３０と、便座３１と、便蓋３２と、給水路１１の主要部を収容する上部筐体３３とを備えている。便座３１及び便蓋３２は上部筐体３３の前方にヒンジ固定されている。なお本体外殻部３０、便座３１、便蓋３２、上部筐体３３は樹脂等で形成するとよい。
【００２５】
ボウル部１０は化学安定性に優れる樹脂、陶磁器あるいはホウロウ等からなり本体外殻部３０の上面に開口部１０ａが配され底面後部に排水口１０ｂが形成されている。
【００２６】
電気式給水弁１３を構成する主給水弁１３Ａと電池駆動給水弁１３Ｂは近接して配置されている。これらの弁の上流側合流点は止水栓に接続されている。また下流側合流点よりも下流側に流量センサ３４が設けられ、その更に下流側に剤ポンプ及び剤タンク３５が設けられている。給水路１１はボウルリム内に形成された水路１０ｃに連通されており、その水路１０ｃに１乃至複数の出水口（図示なし）が形成されている。
【００２７】
電動排水トラップ１４はボウル部１０の排水口１０ｂの後方に設けられている。トラップ管１４ａは汚水の飛散を防止するために気密室１４ｂに収容されている。気密室１４ｂの下端部開口は下水管に接続されている。トラップ管１４ａの開放端にはアーム１４ｃが連結されており、アーム１４ｃの駆動軸は気密室１４ｂから導出されギヤ等を介してトラップモーターＭの出力軸に連結されている。
【００２８】
電池収容部２２は上部筐体３３の後方上面に矩形凹部として形成され、その凹部を覆う蓋２２ａが開閉自在にヒンジ止めされている。電源電池５は市販の９Ｖ品とされ、電源電池５を接続するための端子板２２０ｂがリード線によって引き出し可能に設けられている。このような場所に電池収容部２２を形成すれば電池の装着が簡単に行え、又蓋２２ａを設けているので異物や水滴が内部に侵入し難くなる。なお電池収容部２２は上部筐体３３の内側に設けてもよい。
【００２９】
操作スイッチＳＷは便器装置１の図示しない主操作部に設けてもよいが、図示のように電池収容部２２に隣接して設けてもよい。そうすれば操作スイッチＳＷを操作しても電源電池５が挿入忘れのために排水されずに戸惑う等のトラブルが防止できる。
【００３０】
以下、本実施形態に設けられる電気式給水弁の一例を図に従って具体的に説明する。
図３（ａ）、（ｂ）はその一例である同一の手動式給水弁の閉弁状態、開弁状態をそれぞれ示している。
【００３１】
電気式給水弁１３を構成する主給水弁１３Ａは常時閉タイプの電磁弁であり、ポペット式弁体１３ａがソレノイドＳ１によって駆動されるようになっている。弁体１３ａはコイルバネ１３ｂによって弁座１３ｃ方向（図では右方向）に付勢されており、かつ弁体１３ａが弁座１３ｃに当接した状態では水道水圧も弁体１３ａを弁座１３ｃに更に押し付けるように作用するので常時閉タイプの性質が得られる。このような構成の電磁弁はゴミの噛み込み等による動作不良が生じ難く信頼性が高いが、水圧に抗して開弁させるために大型のソレノイドと大きな制御電流を要するので電池駆動には適していない。
【００３２】
ソレノイドＳ１は駆動コイル１３ｄと、駆動コイル１３ｄに挿通された可動鉄心１３ｅと、駆動コイル１３ｄに挿通固定された固定鉄心１３ｆとからなる。可動鉄心１３ｅは主給水弁１３Ａが閉弁しているときは固定鉄心から引き離された状態となるように弁体１３ａに連結されている。主給水弁１３Ａが閉弁しているときにソレノイドＳ１に通電すると可動鉄心１３ｅと固定鉄心１３ｆとが同方向に磁化されるため可動鉄心１３ｅを固定鉄心１３側に引き込む力が生じる。この力によって弁体１３ａが弁座１３ｃから引き離されて主給水弁１３Ａが開弁される。
【００３３】
一方電池駆動給水弁１３Ｂも常時閉タイプであり、ガイド筒１３ｇの中でスプール式弁体１３ｈをソレノイドＳ２によって開弁方向（図では右方向）にスライドさせるようになっている。弁体１３ｈは水道水を流通させる流通孔１３ｉが軸と交差する方向に形成されており、流通孔１３ｉの流路１３ｊに対する整合、不整合によって開弁、閉弁を制御する。つまり図３（ａ）の状態では流通孔１３ｉが流路１３ｊに整合しない位置にあるため水道水の流通は禁止されるが、図３（ｂ）の状態では流通孔１３ｉが流路１３ｊに整合する位置にあるため水道水の流体は許可される。弁体１３ｈには流通孔１３ｉに代えて小径部を形成してもよい。弁体１３ｈはコイルバネ１３ｂによって閉弁する方向に付勢されており、その作用によって常時閉タイプの性質が得られる。このような構成の電磁弁は弁体の軸方向に水圧がほとんど作用しないので小型のソレノイドを用いることができ電池駆動に適する。
【００３４】
ソレノイドＳ２はソレノイドＳ１と同様の構成とされる。電池駆動給水弁１３Ｂが閉弁しているときにソレノイドＳ２に通電すれば可動鉄心１３ｅを固定鉄心１３ｆ側に引き込む力が生じる。この力によって弁体が開弁方向にスライドして電池駆動給水弁１３Ｂが開弁される。
【００３５】
主給水弁１３Ａと電池駆動給水弁１３Ｂは上流側に分岐管１３ｋを用い下流側に合流管１３ｍを用いて併設されている。このようにすれば主給水弁１３Ａと電池駆動給水弁１３Ｂとをコンパクトにまとめることができる。分岐管１２ａの分岐点よりも上流側には異物を捕集するストレーナー１３ｎが配置されている。合流管１２ｂには主給水弁１３Ａ又は電池駆動給水弁１３Ｂの閉弁動作時に生じる負圧を破壊する真空破壊弁（図示なし）を配置してそれ以降の給水路１１の逆流を防止するとよい。なお主給水弁１３Ａと電池駆動給水弁１３Ｂは必ずしも併設する必要はなく、例えば電池駆動給水弁１３Ｂは局部洗浄機構に向かう水路から分岐させた水路に設けてもよい。要は電池駆動給水弁Ｂを通じてボウル部に給水できればよい。
【００３６】
更に、本実施形態に設けられる電池駆動給水弁の変形を図に従って具体的に説明する。
図４（ａ）、（ｂ）はその変形例である同一の手動式給水弁の閉弁状態、開弁状態をそれぞれ示している。図３（ａ）、（ｂ）に示した例に共通する要素には同一の参照符号を付けている。
【００３７】
主給水弁１３Ａの構成及び作用はソレノイドＳ１を含めて図３（ａ）、（ｂ）に示した例と同様である。
【００３８】
電池駆動給水弁１３Ｂは常時閉タイプであり、図３（ａ）、（ｂ）に示した例に類似した構成であるが、スプール式弁体１３ｈとソレノイドＳ２との結合態様は図３（ａ）、（ｂ）に示した例とは相違している。弁体１３ｈは流通孔１３ｉが軸と交差する方向に形成されており、図４（ａ）の状態では流通孔１３ｉが流路１３ｊに整合しない位置にあるため水道水の流通は禁止されるが、図４（ｂ）の状態では流通孔１３ｉが流路１３ｊに整合する位置にあるため水道水の流体は許可される。
【００３９】
ソレノイドＳ２は駆動コイル１３ｄと、駆動コイル１３ｄに挿通された可動鉄心１３ｅと、駆動コイル１３ｄに挿通固定された固定鉄心１３ｆと、固定鉄心１３ｆを貫通して可動鉄心１３ｅに結合された押棒１３ｐとからなる。押棒１３ｐは固定鉄心１３ｆに対してスライド可能とされ電池駆動給水弁１３Ｂが開弁しているときは可動鉄心１３ｅが固定鉄心１３ｆから引き離された状態となるように弁体１３ｈに連結されている。電池駆動給水弁１３Ｂが開弁しているときにソレノイドＳに通電すると可動鉄心１３ｅと固定鉄心１３ｆとが同方向に磁化されて可動鉄心１３ｅを固定鉄心１３ｆ側に引き込む力が生じる。この力によって押棒１３ｐがソレノイドＳ２から押し出されて弁体１３ｈを開弁方向にスライドさせ電池駆動給水弁１３Ｂが開弁される。
【００４０】
なお分岐管１３ｋと合流管１３ｍを用いた主給水弁１３Ａと電池駆動給水弁Ｂとの結合態様、ストレーナー１３ｎ、真空破壊弁に関しては図（３（ａ）、（ｂ）に示した例と同様である。
【００４１】
更に、本実施形態に設けられる電池駆動給水弁の変形を図に従って具体的に説明する。
図５（ａ）、（ｂ）はその変形例である同一の手動式給水弁の閉弁状態、開弁状態をそれぞれ示している。図３（ａ）、（ｂ）に示した例に共通する要素には同一の参照符号を付けている。
【００４２】
主給水弁１３Ａの構成及び作用はソレノイドＳ１を含めて図３（ａ）、（ｂ）に示した例と同様である。
【００４３】
電池駆動給水弁１３Ｂはダブルソレノイドタイプとしている。ソレノイドＳ２はガイド筒２１ｃ内でスプール式弁体１３ｈを開弁方向（図では右方向）にスライドさせ、ソレノイドＳ２´は弁体１３ｈを閉弁方向にスライドさせる。弁体１３ｈは流通孔１３ｉが軸と交差する方向に形成されており、図４（ａ）の状態では流通孔１３ｉが流路１３ｊに整合しない位置にあるため水道水の流通は禁止されるが、図４（ｂ）の状態では流通孔１３ｉが流路１３ｊに整合する位置にあるため水道水の流体は許可される。
【００４４】
ソレノイドＳ２、Ｓ２´の構成はいずれも図３（ａ）、（ｂ）に示した例と同様である。弁体１３ｈの両端はそれぞれソレノイドＳ２の可動鉄片１３ｅ、ソレノイドＳ２´の可動鉄片１３ｅに結合されている。電池駆動給水弁１３Ｂが閉弁しているときにソレノイドＳ２に通電すると弁体１３ｈが開弁方向にスライドされ電池駆動給水弁１３Ｂが開弁される。一方電池駆動給水弁１３Ｂが開弁しているときにソレノイドＳ２´に通電すると弁体１３ｈが閉弁方向にスライドされ電池駆動給水弁１３Ｂが閉弁される。このようなダブルソレノイドタイプの電磁弁は開弁又は閉弁動作中のみソレノイドの一方に通電すればよく、ソレノイドのいずれにも通電しないときには直前の状態を保持する。つまりこのような構成の電池駆動給水弁１３Ｂを用いれば、給水開始時、停止時に電力を一瞬消費するが、給水中は電力を消費しないので電源電池の寿命を延ばせる。
【００４５】
次いで本実施形態の通常時及び停電時における基本動作を図に従って説明する。
図６は本実施形態の通常時における基本動作の一例を示すタイムチャートである。局部洗浄や便座保温に関する説明は省略する。
【００４６】
タイムチャートでは時刻Ｔ１に商用電源が通電され、制御部はパワーオンリセット解除後に再起動されている。時刻Ｔ２に制御部は通常時か否かを判定する処理を行っている。このとき通常時であるから時刻Ｔ３以降、制御部は通常時用の制御プログラムに従って各処理を行う。
【００４７】
時刻Ｔ３に制御部は排水指令を監視する処理を開始している。具体的には便器装置の主操作部からの指令信号を監視する。時刻Ｔ４に主操作部から排水指令が発せられている。
【００４８】
時刻Ｔ５に制御部はその排水指令に基づいて排水処理を開始している。ここでの排水処理では主に主給水弁と電動排水トラップとを制御する。時刻Ｔ５に主給水弁が開弁され給水が開始されている。時刻Ｔ６ではトラップモーターが上方向に回動制御され、これによってトラップ管の開放端が上位置よりも更に高い位置まで首振り移動する。これによりボウル部に溜め水が追加されて汚水を一気に排水することが可能になる。時刻Ｔ７にトラップモーターが下方向に回動制御され、これによってトラップ管の開放端が下位置（排水位置）まで首振り移動する。その結果ボウル部の汚水が全て排水される。時刻Ｔ８にトラップモーターが上方向に回動制御され、これによってトラップ管の開放端が上位置まで首振り移動する。その結果ボウル部に溜め水が再び溜められる。時刻Ｔ９に主給水弁が閉弁され給水が停止されている。これにより排水処理が終了する。
【００４９】
時刻Ｔ１０に制御部は再び排水指令を監視する処理を開始している。
【００５０】
本実施形態の通常時における基本動作は前記のような手順でなされる。その特徴としては、商用電源によって常時給電されており、制御部は処理を実行していない間は操作部からの指令を監視している点が挙げられる。
【００５１】
図７は本実施形態の停電時における基本動作の一例を示すタイムチャートである。なお本実施形態では停電時でも電源電池によって電池駆動給水弁と電動排水トラップを作動させることが可能であるが、そのためには予め電源電池を便器装置に装着する必要がある。この電源電池の装着はタイムチャートには図示していない。
【００５２】
タイムチャートでは時刻Ｔ２１に電池駆動給水弁を作動させる操作スイッチが操作され、これによって電源電池が通電され電池駆動給水弁が開弁して給水が開始されている。制御部はパワーオンリセット解除後に再起動されている。時刻Ｔ２２に制御部は通常時か否かを判定する処理を行っている。ここは停電時であるから時刻Ｔ２３以降、制御部は停電時用の制御プログラムに従って各処理を行う。
【００５３】
時刻Ｔ２３に制御部は自動的に排水処理を開始している。ここでの排水処理では電動排水トラップの制御が自動的に実行される。時刻Ｔ２４にトラップモーターが下方向に回動制御され、これによってトラップ管の開放端が下位置（排水位置）まで首振り移動する。その結果ボウル部の汚水が全て排水される。時刻Ｔ２５にトラップモーターが上方向に回動制御され、これによってトラップ管の開放端が上位置まで首振り移動する。その結果ボウル部に溜め水が再び溜められる。時刻Ｔ２６に排水処理が終了して制御部は停止状態になる。停止状態は特に処理を行わずに消費電力を抑えるモードである。
【００５４】
その後使用者がボウル部に溜め水が十分溜まったことを確認し、時刻Ｔ２７に操作スイッチが操作解除されている。これによって電源電池が遮断され停電圧給水弁が閉弁して給水が停止されている。
【００５５】
本実施形態の停電時における基本動作は前記のような手順でなされる。その特徴としては、電池駆動給水弁の操作スイッチが操作されている間だけ電源電池から給電され、制御部はパワーオンリセット解除後に再起動されると自動的に電動排水トラップを作動させる点が挙げられる。つまり電源電池の通電は最小限とされており、電源電池の消耗が抑えられる。
【符号の説明】
【００５６】
１      便器装置
５      電源電池
１３    電気式給水弁
１３Ａ  主給水弁
１３Ｂ  電池駆動給水弁
１４    電動排水トラップ
２１    電池駆動給水弁の駆動回路
２２    電池収容部
ＳＷ    操作スイッチ
【図１】
2016118020.tif 000003
【図２】
2016118020.tif 000004
【図３】
2016118020.tif 000005
【図４】
2016118020.tif 000006
【図５】
2016118020.tif 000007
【図６】
2016118020.tif 000008
【図７】
2016118020.tif 000009